(57)【要約】【課題】カードを包装する包装体が該カードと共に一体的に設けられた包装体付カードであって、貼付されたカードを包装体から剥離させた場合に、カードの包装用として前記包装体を再度使用可能な包装体付カードを提供することを課題とする。【解決手段】カード１を包装する包装体２が該カード１と共に一体的に設けられた包装体付カードであって、開口部２ａを有する包装体２と、開口部２ａから包装体２内に収容可能なカード１とを備え、前記包装体２は、開口部２ａを開閉するフラップ１３を有する封筒であり、前記カード１は、上記フラップ１３に着脱可能に貼付される。【選択図】図１
2016068381.tif 000002
【特許請求の範囲】
【請求項１】
カードを包装する包装体が該カードと共に一体的に設けられた包装体付カードであって、
開口部を有する包装体と、
開口部から包装体内に収容可能なカードとを備え、
前記包装体は、開口部を開閉するフラップを有する封筒であり、
前記カードは、上記フラップに着脱可能に貼付された
ことを特徴とする包装体付カード。
【請求項２】
前記接着剤を、フラップにより封筒を閉じる際にも用いることが可能となるように、上記フラップに付着させた
請求項１に記載の包装体付カード。
【請求項３】
前記カードを接着剤によって上記フラップの内面に貼付した
請求項２に記載の包装体付カード。
【請求項４】
前記カードを接着剤によって上記フラップの外面に貼付し、
該外面が上記封筒を閉じる際の貼り合せ面になるように前記フラップの中途部分を折畳み可能とした
請求項２に記載の包装体付カード。
【請求項５】
前記カードは、接着剤によって、上記フラップに着脱可能に貼付され、
カードをフラップから剥離する際に、接着剤がカードから離れてフラップ側に付着するように、前記カードにおける上記フラップへの接着面の少なくとも一部に剥離層を形成した
請求項２乃至４何れかに記載の包装体付カード。
【請求項６】
前記接着面には、上記剥離層と共に、該剥離層に比べて上記接着剤が接着し易い接着部を形成した
請求項５に記載の包装体付カード。
【請求項７】
前記接着面には、複数の接着部を、ドット状に形成した
請求項６に記載の包装体付カード。
【請求項８】
前記カードは、識別情報が表示された識別情報表示部を有し、
前記封筒によって上記識別情報表示部がカバーされて隠れるように、該封筒の上記フラップに前記カードを貼付した
請求項１乃至７の何れかに記載の包装体付カード。
【請求項９】
前記カードは、識別情報を利用可能な状態とするコードが表示されたコード表示部を有し、
該コード表示部が露出するようにして、前記カードを上記フラップに貼付した
請求項８に記載の包装体付カード。
【発明の詳細な説明】
【技術分野】
【０００１】
この発明は、カードを包装する包装体が該カードと共に一体的に設けられた包装体付カードに関する。
【背景技術】
【０００２】
カードを包装する包装体が該カードと共に一体的に設けられ、利便性を向上させた包装体付カードが公知になっている。その一例として、カードの少なくとも一部を包装体内に収容した状態で、該包装体の内面側に貼付して位置決めした包装体付カードが公知になっている（例えば、特許文献１を参照）。
【先行技術文献】
【特許文献】
【０００３】
【特許文献１】特表２００１−５０６７９０号公報
【発明の概要】
【発明が解決しようとする課題】
【０００４】
上記文献の包装体付カードは、カードが包装体に貼付されるので、商品として展示している最中に、カードが包装体に対してずれることや、両者が分離することが防止される。
【０００５】
しかし、包装体の内面側にカードを貼付する際に接着剤を用いるため、カードを包装体の内面から剥がした場合、包装体内面側への接着剤の残留や、剥離時の包装体の破損等が生じ、これによってカードの包装用として前記包装体を再度使用することが難しくなる場合がある。
【０００６】
本発明は、カードを包装する包装体が該カードと共に一体的に設けられた包装体付カードであって、貼付されたカードを包装体から剥離させた場合に、カードの包装用として前記包装体を再度使用可能な包装体付カードを提供することを課題とする。
【課題を解決するための手段】
【０００７】
上記課題を解決するため、第１に、カードを包装する包装体が該カードと共に一体的に設けられた包装体付カードであって、開口部を有する包装体と、開口部から包装体内に収容可能なカードとを備え、前記包装体は、開口部を開閉するフラップを有する封筒であり、前記カードは、上記フラップに着脱可能に貼付されたことを特徴としている。
【０００８】
第２に、前記接着剤を、フラップにより封筒を閉じる際にも用いることが可能となるように、上記フラップに付着させたことを特徴としている。
【０００９】
第３に、前記カードを接着剤によって上記フラップの内面に貼付したことを特徴としている。
【００１０】
第４に、前記カードを接着剤によって上記フラップの外面に貼付し、該外面が上記封筒を閉じる際の貼り合せ面になるように前記フラップの中途部分を折畳み可能としたことを特徴としている。
【００１１】
第５に、前記カードは、接着剤によって、上記フラップに着脱可能に貼付され、カードをフラップから剥離する際に、接着剤がカードから離れてフラップ側に付着するように、前記カードにおける上記フラップへの接着面の少なくとも一部に剥離層を形成したことを特徴としている。
【００１２】
第６に、前記接着面には、上記剥離層と共に、該剥離層に比べて上記接着剤が接着し易い接着部を形成したことを特徴としている。
【００１３】
第７に、前記接着面には、複数の接着部を、ドット状に形成したことを特徴としている。
【００１４】
第８に、前記カードは、識別情報が表示された識別情報表示部を有し、前記封筒によって上記識別情報表示部がカバーされて隠れるように、該封筒の上記フラップに前記カードを貼付したことを特徴としている。
【００１５】
第９に、前記カードは、識別情報を利用可能な状態とするコードが表示されたコード表示部を有し、コード表示部が露出するようにして、前記カードを上記フラップに貼付したことを特徴としている。
【発明の効果】
【００１６】
前記包装体が開口部を開閉するフラップを有する封筒であり、前記カードが上記フラップに着脱可能に貼付されるため、フラップから剥離させたカードを、そのまま封筒に収容して包装することが可能である。しかも、包装体は、フラップを有する封筒であればよく、様々な包装体を用いることが可能であり、汎用性も高い。
【００１７】
前記接着剤を、フラップにより封筒を閉じる際にも用いることが可能となるように、上記フラップに付着させたものによれば、接着剤を、カードの接着と、封筒の封緘という２つの用途で兼用できるため、製造コストを低く抑えることが可能であるとともに、封筒をカードの包装用に再利用する際に、接着剤が邪魔になることが無く、利便性が向上する。
【００１８】
前記カードは、接着剤によって、上記フラップに着脱可能に貼付され、カードをフラップから剥離する際に、接着剤がカードから離れてフラップ側に付着するように、前記カードにおける上記フラップへの接着面の少なくとも一部に剥離層を形成したものによれば、カードに接着剤が付着することが防止され、カード使用がより便利になる。
【００１９】
前記接着面には、上記剥離層と共に、該剥離層に比べて上記接着剤が接着し易い接着部を形成したものによれば、剥離層も設けた場合でも、カードを適度にフラップに接着することが可能になり、利便性がさらに向上する。
【００２０】
前記カードは、識別情報が表示された識別情報表示部を有し、前記封筒によって上記識別情報表示部がカバーされて隠れるように、該封筒の上記フラップに前記カードを貼付したものによれば、隠したい識別情報を、別部材を設けることなく、封筒で隠すことが可能になり、製造コストが安価になる。
【００２１】
前記カードは、識別情報を利用可能な状態とするコードが表示されたコード表示部を有し、コード表示部が露出するようにして、前記カードを上記フラップに貼付したものによれば、識別情報を利用可能な状態とするためにコードを用いる際に、封筒が邪魔になることが防止され、利便性が向上する。
【図面の簡単な説明】
【００２２】
【図１】本発明を適用した包装体付カードの背面図である。
【図２】（Ａ），（Ｂ）は図１に示すカードの背面図及び側面図である。
【図３】封筒の背面図である。
【図４】封筒の展開図である。
【図５】本包装体付カードの側断面図である。
【図６】カードを封筒に収容して封緘した状態を示す背面図である。
【図７】（Ａ），（Ｂ）は本発明の別実施形態に係る包装体付カードの構成を示す正面図及び側断面図である。
【図８】図７に示す包装体付カードの要部側断面図である。
【発明を実施するための形態】
【００２３】
図１は、本発明を適用した包装体付カードの背面図である。包装付カードは、若干横長の方形板状の厚紙からなるカード１と、該カード１の全体を収容して包装可能な紙製の封筒（包装体）２とを備えている。
【００２４】
図２（Ａ），（Ｂ）は図１に示すカードの背面図及び側面図である。カード１は、その表面に絵柄や文字等が印刷されるとともに、その裏面に、コード表示欄（コード表示部）３と、封筒への接着領域（接着面，貼付面）４と、識別情報表示欄（識別情報表示部）６とが上から順に設けられ、さらに、このカード１には、商品として陳列させることを目的として横方向（具体的には水平方向）に延びるバーである陳列バー（図示しない）を、挿通させる支持孔７が穿設されている。
【００２５】
支持孔７に陳錬バーを挿通させることにより、カード１及び封筒２が一体化した包装付カードを、吊下げ支持して、商品としての陳列を行う。このため、支持孔７の形成位置は、カード１におけるコード表示欄３よりもさらに上端寄り部分における長手方向中央部に設定され、この支持孔７の形状は、横長で且つ横方向に対称形状をなし、その中央部には、陳列バーを係止させる係止部７ａが円弧状に切欠き形成されている。
【００２６】
接着領域４は、カード１の裏面におけるコード表示欄３と識別情報表示欄６との間に位置し、且つカード１の横幅の大部分に方形状に設定されている。カード１の裏面における接着領域４には、剥離層４ａがニス印刷等によって形成されている。剥離層４ａは、光沢があり、後述する接着剤１４が剥離し易く、且つ透明で目視し難いか、或いは殆ど目視できない材料で構成されている。ちなみに、この材料の少なくとも一部には、シリコンが含まれ、本例では、主要成分になっている。
【００２７】
ただし、剥離層４ａは、カード１の裏面における接着領域４の全てに形成されているわけではなく、接着領域４には、剥離層４ａが部分的に省略されて、カード１自体が露出している部分があり、この部分は、剥離層４ａに比べて接着剤１４が剥離し難い接着部４ｂとなる。
【００２８】
言換えると、接着領域４の一部には、剥離層４ａが形成され、残りの部分は接着部４ｂとなる。この接着部４ｂは、剥離層４ａの形成時、縦横に並列されて多数（複数）が同時に形成され、この多数の接着部４ｂは、全体として、ドット柄をなしている。
【００２９】
コード表示欄３には、一次元バーコード又は二次元バーコードからなるコードが、印刷、或いはシール貼付等によって、表示されている。識別情報表示欄６には、識別情報が、印刷、或いはシール貼付等によって、表示されている。
【００３０】
上記識別情報は、本例では、複数桁（具体的には、１０桁）の数字であるが、ローマ字の複数並べたものや、数字とローマ字その他の記号とを組合せたものでもよい。この識別情報は、例えば、ソーシャルゲームのプレイ時の課金等、利用者がサービスを受ける際の課金や、音楽や動画のダウンロードのための課金等、利用者が販売対象データを取得するための課金等に用いることが可能である。
【００３１】
これを実現する情報処理システムの一例について説明すると、まず、この情報処理システムは、利用者の情報端末と、情報端末のインターネット等のグローバルネットワークを介して接続される情報処理サーバとを備えている。
【００３２】
利用者は、まず、この包装体付カードを、リアル店舗で、所定の金額（購入金額）で購入した後、自己が予め保有する情報処理サーバでのアカウント及びパスワード等を利用して、自己の情報端末から、情報処理サーバにログイン（アクセス）する。このアクセスは、情報端末にインストールされた専用のアプリケーションを用いてもよいし、ウェブブラウザを利用してもよい。
【００３３】
そして、利用者が、専用のアプリケーション上又はウェブブラウザ上で、上記識別情報を入力すると、情報処理サーバは、該識別情報に対応した仮想的なお金（仮想マネー）を、この利用者のアカウントに加算し、これを情報処理サーバの記憶装置に記憶する。ちなみに、情報端末の識別情報をカメラ撮影して、入力作業を簡略化させることも可能である。
【００３４】
そして、利用者は、情報処理サーバで利用する自己のカウントが保有する仮想マネーを用いて、前記専用のアプリケーション上又はウェブブラウザ上で、上記課金時の支払いを行う。
【００３５】
ちなみに、仮想マネーは、購入金額と同額としてもよいし、上記課金時に利用可能なポイント等としてもよい。また、上記したように識別情報から仮想マネーを取得するためには、この識別情報を利用可能とする処理（活性化処理、アクティベーション処理）が実行されている必要があり、情報処理サーバは、少なくとも、個々の識別番号に対して、アクティベーション処理が実行されたか否かを把握している必要がある。
【００３６】
なお、情報処理サーバは、役割や、管理対象とする利用者を分けて、複数台設置してもよい。
【００３７】
上記コードを構成する１次元バーコード又は２次元バーコードには、包装体付カードの販売金額（＝購入金額）の情報や、識別情報をアクティベーション処理するための情報が含まれている。通常は、店舗に設置され且つ情報処理サーバとネットワーク接続されたＰＯＳレジ等で、上記コードを利用して会計が行われた段階で、アクティベーション処理が実行される。
【００３８】
コード及び識別情報の情報処理は、上記の通りであるため、コードは、店舗等での利用のために露出していた方がよい一方で、識別情報は、包装体付カードを購入する利用者以外の者に可能な限り知られないようにする必要がある。
【００３９】
このため、コードは、露出しているが、識別情報は、カード１の裏面に貼付されるカバーフィルム（カバー体）８によって、カバーされて隠されている。カバーフィルム８は、カード１から剥がすことによって除去するように構成してもよいし、或いは、スクラッチすることによって除去するように構成してもよい。そして、購入した利用者は、カバーフィルム８を除去して露出した識別情報を取得する。
【００４０】
図３は、封筒の背面図であり、図４は、封筒の展開図である。図１、図３及び図４に示す通り、封筒２は、内カマス貼の横長封筒である。この封筒２は、２つ折りにされる表部９及び裏部（ボトム）１１と、表部９の両脇からそれぞれ延設された一対のサイド１２，１２と、表部９におけるボトム１１と反対側の端部から該反対方向に延設された封緘用のフラップ１３とを一体で有している。
【００４１】
そして、各部９，１１，１２，１２，１３との領域の境には、折り目２ｂ，２ｃ，２ｃ，２ｄが形成され、この折り目２ｃ，２ｃを利用して、一対のサイド１２，１２を表部９の内面側に折畳んだ後に、ボトム１１も折り目２ｄを利用して表部９の内面側の折畳み、該ボトム１１を上記折畳まれた各サイド１２，１２の外面にそれぞれ糊付けすることにより、内部にカード１を収容することが可能な封筒２が構成される。
【００４２】
ちなみに、折り目は予め形成してもよいし、或いは、予め折り目２ｂ，２ｃ，２ｃ，２ｄを形成する部分に沿って、ミシン目を形成してもよい。
【００４３】
この封筒２は、表示部９とボトム１１との間におけるフラップ１３側の端部に開口部２ａが形成され、この開口部２ａからカード１１の出し入れを行う他、フラップ１３を、折り目２ｂを境にして、ボトム１１の外面側に折畳んで糊付けすることにより、封緘される。
【００４４】
この封緘のために、フラップ１３の内面（フラップ１３における内側折畳み時にボトム１１と対向する側の面）には、接着剤１４が、表層を形成して付着した状態で設けられている。この接着剤１４は、再剥離可能なホットメルト接着剤であり、この接着剤１４を利用して、該フラップ１３へのカード１の貼付けも行われる。また、この接着剤１４は、フラップ１３の長手方向と同一の横長に形成されている。
【００４５】
なお、包装体として用いる封筒２は、カード１を収容可能で、封緘用のフラップ１３を有するものであれば、上記形態に限定されるものではなく、例えば、中貼タイプのものや、左横貼タイプのものや、右逆貼タイプのものや、左逆横貼タイプのものや、右横貼タイプのものや、外カマス貼タイプのものや、ダイヤモンド貼タイプのものでもよい。
【００４６】
図５は、本包装体付カードの側断面図である。図１及び図５に示す通り、封筒２のフラップ１３の内面を、上記接着剤１４を介して、カード１の接着領域４に着脱可能（剥離可能）に接着させ、両者を一体化させて包装体付カードとしている。この状態では、背面視において、識別情報及びその識別情報をカバーするカバーフィルム８が、封筒２によって、カバーされて隠されるとともに、コード３が、封筒２にカバーされずに露出した状態になる。
【００４７】
そして、この包装体付カードは、カード１の表面及び封筒２のボトム１１が正面側に向けられ、該正面が目視可能な状態で、上述した陳列バー等により、店舗に陳列される。このため、カード１の表面や、封筒２のボトム１１の外面には、購買意欲を促進する絵柄や、文字情報を印刷等で表示させることが好ましい。
【００４８】
カード１の接着領域４の一部には、剥離層４ａが形成され、この剥離層４ａは、封筒２のフラップ１３の内面（及び外面）よりも接着剤１４を剥離させ易いため、このカード１を封筒２のフラップ１３の剥がすと、接着剤１４は、カード１側から剥離し、該カード１には残留せず、封筒２側に全て付着した状態になる。
【００４９】
ちなみに、接着領域４の全てに剥離層４ａを形成すると、そもそも接着剤１４がカード１に接着し難くなるが、この接着領域４の一部には、剥離層４ａが形成されていない接着部４ｂがドット状に形成されているため、カード１の接着剤１４を介したフラップ１３への貼付けはスムーズに行うことが可能である。
【００５０】
図６は、カードを封筒に収容して封緘した状態を示す背面図である。上記包装体付カードでは、カード１を封筒２から剥がす際に、再隔離可能な接着剤１４が封筒２のフラップ１３側に付着するため、この接着剤１４を利用して、フラップ１３をボトムに貼付して、封筒２を封緘することが可能である。
【００５１】
このため、例えば、包装体付カードを購入した購入者は、利用者として、その識別情報を使用することも可能であるが、その他、カード１を封筒２から剥がし、該封筒２に収容して封緘し、その他の利用者にプレゼントするようなことも可能になり、その際、他の包装体が不要であるため、利便性が高い。
【００５２】
なお、図５に仮想線を示す通り、カード１の接着領域４に、封筒２のフラップ１３の外面を貼付させてもよい。この場合には、封筒２の表部９の外面と、カード１の表面が、上記した正面に設定され、該外面に接着剤１４が設けられる。
【００５３】
また、識別情報は、カバーフィルム８によって隠されているため、識別情報表示部６を封筒２によってカバーすることは必須ではなく、この識別情報表示部６が封筒２から露出した状態で、カード１に封筒２を貼付してもよい。
【００５４】
さらに、カードは、識別情報やコードが含まれた上記のカード１に限定されることはなく、デザイン的なカードや、情報が記憶された磁気カード等でもよく、材質もプラスチック製や金属製でもよい。
【００５５】
次に、図７及び図８に基づき、本発明の別実施形態について、上述の形態と異なる点を説明する。
【００５６】
図７（Ａ），（Ｂ）は本発明の別実施形態に係る包装体付カードの構成を示す正面図及び側断面図であり、図８は、図７に示す包装体付カードの要部側断面図である。上述の形態では、前記接着剤１４を、フラップ１３により封筒２を封緘する際にも用いることが可能となるように、前記カード１を接着剤１４によって上記フラップ１３の内面に貼付したが、図７及び図８では、前記カード１を接着剤１４によって上記フラップ１３の外面側に貼付しつつ、該接着剤１４を、フラップ１３により封筒２を封緘する際にも用いることが可能となる形態について、図示している。
【００５７】
具体的には、封筒２の表部９と、カード１の表面とを同一方向の向けた状態で、接着剤１４により、フラップ１３の外面にカード１の裏面を貼付している。この状態で、フラップ１３を、折り目２ｂを境に、裏部１１に折畳んだ場合、接着剤１４がフラップ１３と裏部１１との間には、介在しない状態になり、この接着剤１４を封緘用として兼用することができないが、これを改善するため、フラップ１３自体を幅方向中途部に形成された折り目２ｅを境に二つ折りにする。これによって、フラップ１３の外面（カード１の貼付面）を、封筒２の裏部１１と対向させることが可能になり、カード１の貼付用の接着剤１４を、封筒２の封緘用にも用いることが可能になる。
【００５８】
なお、図示する例では、フラップ１３の先端寄り半部程度に接着剤１４を付着させているため、該フラップ１３の二つ折りにしているが、フラップ１３の外面が封筒２を閉じる際の裏部１１への貼り合せ面になるように前記フラップの中途部分を折畳み可能とするためには、二つ折りに限定されるものではなく、接着剤１４のフラップ１３への付着範囲や付着位置によって、折り目１３ｅの位置及び個数を適宜設定すればよい。
【００５９】
また、図７に仮想線に示す通り、支持孔７を形成した部分を、カード１から切離すことが可能なように、その境に、厚み方向に所定割合の深さを有する切込線又はミシン目１ａを一直線状に形成してもよく、このカード１は、支持孔７を形成した端部を切離し、コード表示欄３や識別情報表示欄側のみが残った状態で、使用するものとしてもよい。
【符号の説明】
【００６０】
１  カード
１ａ  切込線又はミシン目
２  封筒（包装体）
２ａ  開口部
２ｂ  折り目
２ｃ  折り目
２ｄ  折り目
２ｅ  折り目
３  コード表示欄（コード表示部）
４  接着領域（接着面，貼付面）
４ａ  剥離層
４ｂ  接着部
６  識別情報表示欄（識別情報表示部）
７  支持孔
７ａ  係止部
８  カバーフィルム（カバー体）
９  表部
１１  ボトム（裏部）
１２  サイド
１３  フラップ
１４  接着剤
【図１】
2016068381.tif 000003
【図２】
2016068381.tif 000004
【図３】
2016068381.tif 000005
【図４】
2016068381.tif 000006
【図５】
2016068381.tif 000007
【図６】
2016068381.tif 000008
【図７】
2016068381.tif 000009
【図８】
2016068381.tif 000010